(57)【要約】【課題】妊婦や怪我をしている人が自分で靴下を履くとすると、時間をかけながら試行錯誤するか、もしくは補助具を使用するしかない。しかし、市販されている補助具には以下の問題点がある。・靴下に負担がかかり傷みやすい。・力を必要とし、力の弱い人には困難である。・片手が不自由な人は困難である。・補助具に足の爪先を挿し込む開口部が狭く、足の爪先を挿し込むことが困難である。・靴下を「履く」動作は補助できても、靴下を「脱ぐ」動作は補助できない。  本発明は、以上の問題点を解決する補助具を提供する。【解決手段】可撓性の板部に、可撓性の板部が円錐状になるように線状のバネを取り付ける。可撓性の板部の内側・外側に摩擦抵抗の小さい布を貼り付ける。円錐状の円側に開口部保持具を取り付け、そこへ棒を取り付ける。棒の先に突起を設ける。【選択図】図１
2011078720.tif 000002
【特許請求の範囲】
【請求項１】
可撓性の板部（２）に、可撓性の板部（２）が円錐状になるように線状のバネ（３）を取り付け、可撓性の板部（２）の内側・外側に摩擦抵抗の小さい内布（７）外布（８）を貼り、円錐状の後ろ側（１１）に開口部保持具（６）を取り付け、開口部保持具（６）に棒（４）を取り付け、棒（４）の先に突起（５）を設けた靴下履き補助具（１）。
【請求項２】
請求項１記載の靴下履き補助具（１）において、可撓性の板部（２）と線状のバネ（３）の代わりに、円錐状の状態を記憶している形状記憶プラスチックの板部（１９）を使用した靴下履き補助具（１）。
【発明の詳細な説明】
【技術分野】
【０００１】  本発明は自分で靴下を履いたり脱いだりすることが困難な人のための、靴下を簡単に履ける補助具に関するものである。
【背景技術】
【０００２】  妊婦や怪我をしている人など、足元まで手を伸ばすことが出来ない人は、自分で靴下を履いたり脱いだりすることが困難であり、他の人に手伝ってもらったり補助具を使用している。【０００３】  市販されている補助具としては、補助具を丸めて筒状にし、その前側に靴下を被せ、筒の後ろ側から足を挿し込み、補助具に取り付けられている紐を後ろへ引っ張ることで、補助具の摩擦により靴下を持ち上げるというものである（非特許文献１参照）。【０００４】  また、本願発明に関する公知技術として次の特許文献１〜２、非特許文献１の物件もある。
【先行技術文献】
【０００５】
【特許文献１】特許公開２００４−１８０９０５号公報
【特許文献２】特許公開２００８−１３２３１５号公報
【非特許文献１】日本医事新報社発行「変形性股関節症の運動生活ガイド」「ｐ３９・・・２００４」商品名はソックスエイド
【発明の概要】
【発明が解決しようとする課題】
【０００６】  妊婦や怪我をしている人が自分で靴下を履くとすると、時間をかけながら試行錯誤するか、もしくは補助具を使用するしかない。【０００７】  しかし、特許文献１や特許文献２及び市販されている非特許文献１では以下の問題点がある。
・補助具本体と靴下の摩擦力により靴下を持ち上げるため、靴下に負担がかかり傷みやすい。
・足と靴下の摩擦力が補助具を引っ張る方向とは逆にかかるため、余計な力を必要とし、力の弱い人には困難となっている。
・補助具を丸めながら靴下を被せるが、この「丸める」という行為と「被せる」という行為を同時に行うことは難しく、特に片手が不自由な人ではこの動作自体が困難である。
・補助具に靴下を被せると、靴下自体のゴムの弾力により、補助具が縮小してしまう。そうすると、補助具に足の爪先を挿し込む開口部が狭くなり、足の爪を挿し込むことが困難となってしまう。
・靴下を「履く」動作は補助できても、靴下を「脱ぐ」動作は補助できない。
本発明は、以上の問題点を解決するためになされたものである。
【課題を解決するための手段】
【０００８】  可撓性の板部に、可撓性の板部が円錐状になるように線状のバネを取り付ける。
可撓性の板部の内側・外側に摩擦抵抗の小さい布を貼り付ける。円錐状の後ろ側に開口部保持具を取り付け、そこへ棒を取り付ける。棒の先に突起を設ける。
【発明の効果】
【０００９】  摩擦力で靴下を持ち上げるのではなく、補助具により靴下を拡げ、そこに足を挿し込むため、靴下に負担がかからない。可撓性の板部が足を包み込むため、足と靴下との摩擦力がほとんどなく、少しの力で履くことが出来る。線状のバネの弾性力により初めから円錐状となっているため、靴下を補助具の先端に被せることが容易。靴下自体のゴムの弾力に反して線状のバネの弾性力がかかり、なおかつ開口部保持具により補助具の開口部が縮小することもなく、足の爪先を差し込みやすい。棒の先端に取り付けた突起により、靴下を容易に脱がすことができる。【００１０】  以上のことにより、足元まで手が届かないために、これまで靴下を自分で履いたり脱いだりすることが困難だった人でも、容易に靴下の「履く」「脱ぐ」を行うことができる。
【図面の簡単な説明】
【００１１】
【図１】本発明の平面図
【図２】本発明の線状のバネを拡げた状態の平面図
【図３】本発明の側面図
【図４】図１のＡ−Ａでの断面図
【図５】本発明の使用状態を示す斜視図（履く動作）
【図６】本発明の使用状態を示す斜視図（脱ぐ動作）
【図７】形状記憶プラスチックを使用した場合の本発明の平面図
【発明を実施するための形態】
【００１２】  以下、本発明の実施の形態を説明する。
【００１３】（イ）薄い可撓性の板部（２）に１０ｃｍ×１０ｃｍ程の凹み部１（１７）と、その対象部分に５ｃｍ×５ｃｍ程度の凹み部２（１８）を設ける。
【００１４】（ロ）薄い可撓性の板部（２）に、線状のバネ（３）を横断するように取り付け、線状のバネ（３）の弾性力により可撓性の板部（２）が円錐状になるようにする。
【００１５】（ハ）円錐状の後ろ側（１１）の開口部（１２）の反対側に開口部保持具（６）を取り付ける。
【００１６】（ニ）円錐状にした際、開口部保持具（６）により開口部（１２）が確保できるようにする。
【００１７】（ホ）可撓性の板部（２）の内側・外側には、サテンのように摩擦抵抗の少ない布（内布（７）・外布（８））を貼り付ける。
【００１８】（ヘ）靴下履き補助具（１）に足の爪先（１４）を挿し込んだ際に、足（１５）と靴下（１３）による摩擦抵抗が極力発生しないように、可撓性の板部（２）の横幅は多くとり、円錐状になった際に端と端が重なり合う箇所（９）ができるようにする。
【００１９】（ト）開口部保持具（６）に棒（４）を取り付ける。
【００２０】（チ）棒（４）の先端に、先端側に向いた突起（５）を設ける。
【００２１】（リ）靴下履き補助具（１）に外部の力が加わっていない状態で、円錐状の形状を保つことを目的とするため、可撓性の板部（２）と線状のバネ（３）の代わりに、円錐状の状態を記憶している形状記憶プラスチックの板部（１９）を使用しても良い（図７参照）。
【００２２】  本発明は以上のような構造である。
【００２３】  本発明を使用して靴下を履くときは、靴下履き補助具（１）の前側（１０）に靴下（１３）を被せ、棒（４）を手（１６）で掴み、後ろ側（１１）の開口部（１２）に足の爪先（１４）を挿し込む。
【００２４】  足の爪先（１４）を靴下履き補助具（１）の開口部（１２）に挿し込んでいくと、重なり合う箇所（９）がずれていき、靴下履き補助具（１）が拡がっていく。
【００２５】  これにより靴下（１３）自体も拡がり、足（１５）を前側（１０）へ挿し込める。このまま足（１５）を前側（１０）へ挿し込んでいくと、足（１５）と靴下（１３）の間に可撓性の板部（２）が挟まっている状態で靴下（１３）が履ける。
【００２６】  可撓性の板部（２）を足（１５）と靴下（１３）の間から抜くと、靴下（１３）のみが履けた状態となる。
【００２７】  本発明を使用して靴下（１３）を脱ぐときは、前側（１０）を手（１６）で掴み、棒（４）を足（１５）と靴下（１３）の間に挿し込み、そのまま押し込む。すると突起（５）が靴下（１３）に引っ掛かり、その状態でさらに挿し込むと、靴下（１３）が足の爪先（１４）の方へ移動していき、そのまま靴下（１３）が脱げる。
【符号の説明】
【００２８】  （１）靴下履き補助具、（２）可撓性の板部、（３）線状のバネ、（４）棒、（５）突起、（６）開口部保持具、（７）内布、（８）外布、（９）重なり合う箇所、（１０）前側、（１１）後ろ側、（１２）開口部、（１３）靴下、（１４）足の爪先、（１５）足、（１６）手、（１７）凹み部１、（１８）凹み部２、（１９）形状記憶プラスチックの板部
【図１】
2011078720.tif 000003
【図２】
2011078720.tif 000004
【図３】
2011078720.tif 000005
【図４】
2011078720.tif 000006
【図５】
2011078720.tif 000007
【図６】
2011078720.tif 000008
【図７】
2011078720.tif 000009